(57)【特許請求の範囲】
【請求項１】
表表紙と裏表紙との間に綴じ具を設け、少なくとも２つのパンチング穴を利用して書類を綴じ込むようにしたファイリング装置において、
上記綴じ具は書類のパンチング穴に挿通される少なくとも２つの綴じ条片と、該綴じ条片に書類を固定する止め具とから構成され、
上記少なくとも２つの綴じ条片は可撓性又は可変形性を有し、上記書類の対応するパンチング穴に挿通し得る間隔をあけて上記表表紙と裏表紙との間に取付けられ、
上記止め具は止め具本体に少なくとも２つのスライダー片をスライド可能に取付けて構成され、上記止め具本体には上記綴じ条片が挿通される挿通穴が形成され、上記スライダー片は上記挿通穴に挿通された上記綴じ条片を上記止め具本体に沿って押圧して保持するように設けられている一方、
上記表表紙、裏表紙又は止め具には書類のパンチング穴に挿通されてパンチング穴を位置決めする少なくとも１つの位置決め条片が設けられ、該位置決め条片が上記止め具のスライダー片に取付けられていることを特徴とするファイリング装置。
【請求項２】
上記位置決め条片が挿通したパンチング穴をほぼ一直線上に保持し得る剛性を有する請求項１記載のファイリング装置。
【請求項３】
上記位置決め条片はその基部において折り曲げ可能に構成されている請求項２記載のファイリング装置。
【請求項４】
上記表表紙と裏表紙との間には背表紙が設けられ、該背表紙と裏表紙との間の折り返し片部に上記綴じ条片が挿通して固定されている請求項１ないし３のいずれかに記載のファイリング装置。
【請求項５】
表表紙と裏表紙との間に設けられ、少なくとも２つのパンチング穴を利用して書類を綴じ込むようにしたファイリング装置に用いられる綴じ具であって、
書類のパンチング穴に挿通される少なくとも２つの綴じ条片と、該綴じ条片に書類を固定する止め具とから構成され、
上記少なくとも２つの綴じ条片は可撓性又は可変形性を有し、上記書類の対応するパンチング穴に挿通し得る間隔をあけて上記表表紙と裏表紙との間に取付けられ、上記止め具は止め具本体に少なくとも２つのスライダー片をスライド可能に取付けて構成され、上記止め具本体には上記綴じ条片が挿通される挿通穴が形成され、上記スライダー片は上記挿通穴に挿通された上記綴じ条片を上記止め具本体に沿って押圧して保持するように設けられている一方、上記止め具には書類のパンチング穴に挿通されてパンチング穴を位置決めする少なくとも１つの位置決め条片が更に設けられ、該位置決め条片が上記止め具のスライダー片に取付けられていることを特徴とするファイリング装置の綴じ具。
【請求項６】
上記位置決め条片が挿通したパンチング穴をほぼ一直線上に保持し得る剛性を有する請求項５記載のファイリング装置の綴じ具。
【請求項７】
上記位置決め条片はその基部において折り曲げ可能に構成されている請求項６記載のファイリング装置の綴じ具。
【発明の詳細な説明】
【０００１】
【発明の属する技術分野】
本発明はファイリング装置に関し、特にファイリングした書類を抜き出した時にバラバラになるのを防止できるようにした装置に関する。
【０００２】
【従来の技術】
書類や資料の整理にはファイリング装置がよく利用されている。かかるファイリング装置には書類を綴じ具に挟み込んで綴じる方式と、パンチング穴を利用して綴じ具に綴じる方式とがあるが、使いやすさやコスト等の点から、後者のパンチング穴を利用する方式が広く普及している。
【０００３】
ファイリング装置は本来は書類等をすぐ取り出せるように一時的に綴じ込んでおくものであるが、書類を日付や整理番号あるいは内容等に応じて順番に重ねて綴じ込むことも多い。
【０００４】
多数の書類を順番に重ねて綴じ込んだ場合、途中の書類を取り出す時にはその上方に重ねた書類の束を一旦取外して必要な書類を取り出し、終わると元の通りに綴じ直す必要がある。
【０００５】
挟み込み方式のファイリング装置では取り外した上方の書類の束を順番に重ねておくことにより比較的容易に元通りに綴じ直すことができる。
【０００６】
【発明が解決しようとする課題】
しかし、パンチング穴を利用するファイリング装置では多数の書類のパンチング穴の位置を相互に一致させておかないと、綴じ直しが行ない難い。特に、大きさの異なる書類を一緒に綴じ込む場合にはパンチング穴を一列に整列させるのが難しく、パンチング穴を探しながら綴じ込む必要があって非常に煩雑である。
【０００７】
本発明はかかる問題点に鑑み、パンチング穴を利用して書類を綴じ込む際に、大きさの異なる書類が含まれていても簡単に綴じ込むことができるようにしたファイリング装置を提供することを課題とする。
【０００８】
【課題を解決するための手段】
そこで、本発明に係るファイリング装置は、表表紙と裏表紙との間に綴じ具を設け、少なくとも２つのパンチング穴を利用して書類を綴じ込むようにしたファイリング装置において、上記綴じ具は書類のパンチング穴に挿通される少なくとも２つの綴じ条片と、該綴じ条片に書類を固定する止め具とから構成され、上記少なくとも２つの綴じ条片は可撓性又は可変形性を有し、上記書類の対応するパンチング穴に挿通し得る間隔をあけて上記表表紙と裏表紙との間に取付けられ、上記止め具は止め具本体に少なくとも２つのスライダー片をスライド可能に取付けて構成され、上記止め具本体には上記綴じ条片が挿通される挿通穴が形成され、上記スライダー片は上記挿通穴に挿通された上記綴じ条片を上記止め具本体に沿って押圧して保持するように設けられている一方、上記表表紙、裏表紙又は止め具には書類のパンチング穴に挿通されてパンチング穴を位置決めする少なくとも１つの位置決め条片が設けられていることを特徴とする。
【０００９】
本発明の特徴の１つは表表紙、裏表紙又は止め具に少なくとも１つの位置決め条片を設けるようにした点にある。これにより、書類の束をファイリング装置から抜き出した時に、綴じ条片から外した止め具、表表紙又は裏表紙の位置決め条片を書類の束のパンチング穴に挿通しておくと、書類の束のパンチング穴を相互に位置決めしておくことができる。
【００１０】
その結果、かかる書類の束を綴じ直す時には少なくとも１つのパンチング穴は相互に整列されているので、書類の束のパンチング穴に簡単かつ正確に綴じ条片を挿通させることができる。
【００１１】
また、表表紙、裏表紙又は止め具に位置決め条片を設ければよいので、従来のファイリング装置に比して構造や製造工程が複雑になることもなく、コスト高となることもない。
【００１２】
本発明は少なくとも２つの綴じ条片を有するファイリング装置であれば適用でき、同様の作用効果を奏する。例えば、本発明は表表紙と裏表紙との間には背表紙を設け、該背表紙と裏表紙との間の折り返し片部に綴じ条片を挿通して固定するようにしたファイリング装置に適用できる。
【００１３】
位置決め条片は表表紙、裏表紙又は止め具に設ければよく、例えば止め具本体に設けてもよいが、製造の簡単さを考慮すると、位置決め条片は止め具のスライダー片に取付けるのがよい。
【００１４】
位置決め片の数は少なくとも１つあれば書類の束のパンチング穴を位置決めできるが、２つ設けると、書類の全てのパンチング穴を相互に位置決めできる。
【００１５】
位置決め条片は軟らかい材質で製作してもよいが、相互に位置決めしたパンチング穴から抜いてそのまま綴じ条片を挿通できるように、位置決め条片が挿通したパンチング穴をほぼ一直線上に保持し得る剛性を有するのがよい。
【００１６】
この場合、位置決め条片が長いと、表表紙を閉じるのに邪魔になるおそれがある。そこで、位置決め条片はその基部において折り曲げ可能に構成するのが好ましい。
【００１７】
位置決め条片の材質は上述の条件を満足するものであればどのようなものでもよく、例えばほぼ全体を硬質プラスチックで製作し、基部を軟質プラスチックで製作することができる。
【００１８】
また、止め具及び綴じ条片の材質については特に限定されず、合成樹脂材料や金属材料を用いることができる。また、止め具のスライダー片は内方にスライドさせて綴じるものでもよく、外方にスライドさせて綴じるものでもよい。
【００１９】
本発明において用いられた綴じ具も斬新である。即ち、本発明によれば、表表紙と裏表紙との間に設けられ、少なくとも２つのパンチング穴を利用して書類を綴じ込むようにしたファイリング装置に用いられる綴じ具であって、書類のパンチング穴に挿通される少なくとも２つの綴じ条片と、該綴じ条片に書類を固定する止め具とから構成され、上記少なくとも２つの綴じ条片は可撓性又は可変形性を有し、上記書類の対応するパンチング穴に挿通し得る間隔をあけて上記表表紙と裏表紙との間に取付けられ、上記止め具は止め具本体に少なくとも２つのスライダー片をスライド可能に取付けて構成され、上記止め具本体には上記綴じ条片が挿通される挿通穴が形成され、上記スライダー片は上記挿通穴に挿通された上記綴じ条片を上記止め具本体に沿って押圧して保持するように設けられている一方、上記止め具には書類のパンチング穴に挿通されてパンチング穴を位置決めする少なくとも１つの位置決め条片が更に設けられていることを特徴とするファイリング装置の綴じ具を提供することができる。
【００２０】
この綴じ具においても位置決め条片が止め具のスライダー片に取付けられているのがよく、又位置決め条片が挿通したパンチング穴をほぼ一直線上に保持し得る剛性を有するのがよく、位置決め条片がその基部において折り曲げ可能に構成されるのがよい。
【００２１】
【発明の実施の形態】
以下、本発明を具体例に基づいて詳細に説明する。図１及び図２は本発明に係るファイリング装置の好ましい実施形態を示す。図において、ファイリング装置１０は表表紙１１、裏表紙１２及び背表紙１３から構成され、裏表紙１２と背表紙１３との間には折り返し片１４が形成されている。
【００２２】
この表表紙１１及び裏表紙１２は規格寸法、例えばＡ４の大きさの四角形状をなし、背表紙１３は高さが規格寸法、例えばＡ４の大きさの四角形状の高さと等しく、幅が任意の大きさの四角形状をなしている。
【００２３】
また、表表紙１１と裏表紙１２との間には綴じ具２０が設けられ、該綴じ具２０は２つの綴じ条片２１、２１と止め具２２とから構成されている。上記綴じ条片２１、２１は軟質の合成樹脂材料を用いて可変形性のストラップ状に製作され、端部には抜け止め部が形成されている。
【００２４】
他方、折り返し片１４には所定の間隔をあけて二対の挿通穴が形成され、該２つの隣接する挿通穴には一方の挿通穴に表側から綴じ条片２１、２１が挿通されて他方の挿通穴から表側に挿通されて抜け止めされている。
【００２５】
止め具２２は合成樹脂材料を用いて製作され、止め具本体２２０と一対のスライダー片２２２、２２２から構成され、止め具本体２２０には上記綴じ条片２１、２１に対応する部位に挿通穴２２１、２２１が形成されるとともに、該挿通穴２２１から端部に向けて凹溝が形成されて綴じ条片２１を収容するようになっている。
【００２６】
また、スライダー片２２２は止め具本体２２０にスライド自在に取付けられ、挿通穴２２１を挿通した綴じ条片２１を凹溝内に押し付けて保持するようになっている。
【００２７】
さらに、スライダー片２２２にはその外端側に位置決め条片３０、３０が設けられている。この位置決め条片３０はそのほぼ全体を硬質の合成樹脂材料で製作され、その基部側は軟質の合成樹脂材料を用いて折り曲げ可能に構成されている。
【００２８】
例えば、Ａ４規格の書類４０及びそれより小さな書類４２をファイリング装置１０に一緒に綴じる場合、通常のように、書類４０、４２の側縁にパンチング穴４１、４１をあけ、止め具２２を綴じ条片２１、２１から外して綴じ条片２１、２１を書類４０のパンチング穴４１、４１に挿通した後、止め具２２の挿通穴２２１、２２１に綴じ条片２１、２１を通し、スライダー片２２２、２２２を各々外端側に向けてスライドさせると、綴じ条片２１、２１が止め具本体２２２の凹溝内に押し付けられて抜け止めされ、これによって書類４０、４２は綴じ具２０に綴じられる。
【００２９】
綴じ込んだ書類４０、４２の束から、中間に綴じ込んだ書類４０又は４２を外す場合、上記と逆の操作を行ない、綴じ条片２１、２１から止め具２２を外した後、必要な書類４０又は４２の上方の書類４０、４２を綴じ条片２１、２１から抜き取り、必要な書類４０又は４２を綴じ条片２１、２１から抜き取ればよい。
【００３０】
その際、止め具２２の位置決め条片３０、３０には図２に示されるように、必要な書類４０又は４２を抜き取るために抜き取った上側の書類４０、４２の束のパンチング穴４１、４１を挿通しておく。この上側の書類４０、４２の束のパンチング穴４１、４１は位置決め条片３０、３０によって保持されており、一部の書類４０、４２を見失ってなくすことがない。
【００３１】
また、この上側の書類４０、４２の束のパンチング穴４１、４１は位置決め条片３０、３０によって相互に一直線上に整列されて位置決めされている。従って、書類４０、４２の束を元の通りに綴じ込む場合には大小の書類４０、４２が混じっていてもパンチング穴４１、４１は相互に位置決めされているので、一方のパンチング穴４１から位置決め条片３０を抜いて一方の綴じ条片２１を挿通し、残りの位置決め条片３０を抜いて他方の綴じ条片３０を挿通させ、後は止め具２０で綴じ条片２１、２１を固定すれば、簡単に綴じ直すことができる。
【００３２】
以上のように、書類４０、４２の束をファイリング装置から抜き出した時に、綴じ条片２１、２１から外した止め具２２の位置決め条片３０、３０を書類４０、４２の束のパンチング穴４１、４１に挿通し、相互に位置決めするようにしたので、書類４０、４２の束を綴じ直す時にはパンチング穴４１、４１は相互に整列されているので、簡単かつ正確に綴じ条片２１、２１を挿通させることができる。
【００３３】
また、止め具２２に位置決め条片３０、３０を設ければよいので、従来のファイリング装置に比して構造や製造工程が複雑になることもなく、コスト高となることもない。
【図面の簡単な説明】
【図１】  本発明に係るファイリング装置の好ましい実施形態を示す概略斜視図である。
【図２】  上記実施形態における抜き取った書類の仮止め方法を模式的に示す図である。
【符号の説明】
１０      ファイリング装置
１１      表表紙
１２      裏表紙
１３      背表紙
１４      折り返し片
２０      綴じ具
２１      綴じ条片
２２      止め具
２２０      止め具本体
２２１      挿通穴
２２２      スライダー片
３０      位置決め条片
４０、４２      書類
４１      パンチング穴
【図１】
0004614587.tif 000002
【図２】
0004614587.tif 000003